(57)【要約】【課題】取付時の工数を削減し、かつ、電気部品の取付密度の向上を実現できる電気部品用固定具を得る。【解決手段】コンデンサ取付体１１などの所定個所に取り付けられる樹脂製の固定具本体１２、固定具本体１２に植設され円筒型電解コンデンサ等の電気部品を取り付ける電気部品取付空間を囲んで環状に配設される弾性部材からなる複数の保持部片２４，２５を備え、複数の保持部片２４，２５の自由端に保持部片２４，２５の弾性により電気部品を保持し電気部品を固定具本体１２を介して所定個所に取り付けるための突部２４ａ，２５ａを設けた。【選択図】図１
2006173417.tif 000002
【特許請求の範囲】
【請求項１】
所定個所に取り付けられる固定具本体、前記固定具本体に植設され電気部品取付空間を囲んで環状に配設される弾性部材からなる複数の保持部片を備え、前記複数の保持部片の自由端に保持部片の弾性により電気部品を保持し電気部品を前記固定具本体を介して所定個所に取り付けるための突部を設けたことを特徴とする電気部品用固定具。
【請求項２】
前記固定具本体に固定具本体を貫通して電気部品の一部を突出させるための穴部を設けたことを特徴とする請求項１に記載の電気部品用固定具。
【請求項３】
前記複数の保持部片における少なくとも一つの保持部片の前記固定具本体に対する突部の位置を他の保持部片の前記固定具本体に対する突部の位置と互いに異ならせるようにしたことを特徴とする請求項１または請求項２に記載の電気部品用固定具。
【請求項４】
前記固定具本体を所定個所に取り付ける取付部を前記固定具本体の周面に設けた段違いの固定用突起としたことを特徴とする請求項１から請求項３までのいずれかに記載の電気部品用固定具。
【発明の詳細な説明】
【技術分野】
【０００１】
この発明は、電気部品用固定具、特に、電力変換装置などの電解コンデンサおよび丸形（円筒型）コンデンサ（以下、コンデンサという）を取り付けるコンデンサ取り付け体に対してコンデンサを間接的に取り付けるためのコンデンサ取り付け具に関するものである。
【背景技術】
【０００２】
比較的容量の大きいコンデンサでは、固定の際に金属製の固定具（メーカにて標準提供されている）を用いて固定されることが多い。
また、容易に取り付けでき、かつ、安定に固定できるコンデンサ固定用保持具が提案されている（例えば、特許文献１および特許文献２参照）。
【０００３】
【特許文献１】特開平７−２８３０６８号公報
【特許文献２】実開平５−６６９５７号公報
【発明の開示】
【発明が解決しようとする課題】
【０００４】
従来技術における標準の金属製固定具では、固定の際取り付け体への固定と、コンデンサへのバンドの締め付けの２種類が存在し、例えば複数個のコンデンサをブスバー等により並列接続する場合に、コンデンサの高さのばらつきを吸収させるために、取付金を取り付け体へ金具を取り付け後、コンデンサの端子にブスバーを接続したあと最後にバンドの締付けを行う必要があり、締め付けのための工具の挿入スペースを取る必要がある。また、金属バンドのエッジによりコンデンサの被覆を傷つけ、絶縁劣化を招く可能性があり、取扱いに注意が必要であった。
また、前記特許文献１および特許文献２に示されたコンデンサ固定用保持具はコンデンサ上部に設けられた溝を利用して固定するものであり、固定具により固定位置（高さ）が決定されるため、その固定具に合った取り付け体を設計する必要があった。
また、取り付けには締め付け体をねじ込むことによる固定動作を伴うものであるため、ねじ込むためのスペース（手でつかむためのスペース）が必要であって、多くのコンデンサを密集させて取付けることは困難であった。
【０００５】
この発明は、上記のような課題を解決するためになされたものであり、取付時の工数を削減し、かつ、電気部品の取付密度の向上を実現できる電気部品用固定具を提供することを目的とする。
【課題を解決するための手段】
【０００６】
この発明に係る電気部品用固定具では、所定個所に取り付けられる固定具本体、前記固定具本体に植設され電気部品取付空間を囲んで環状に配設される弾性部材からなる複数の保持部片を備え、前記複数の保持部片の自由端に保持部片の弾性により電気部品を保持し電気部品を前記固定具本体を介して所定個所に取り付けるための突部を設けたものである。
【発明の効果】
【０００７】
この発明によれば、取付時の工数を削減し、かつ、電気部品の取付密度の向上を実現できる電気部品用固定具を提供することができる。
【発明を実施するための最良の形態】
【０００８】
実施の形態１．
この発明による実施の形態１を図１から図３に基づいて説明する。図１は実施の形態１におけるコンデンサの固定状態を示す側面図である。図２は実施の形態１におけるコンデンサ取付保持具の外形構成を示す三面図である。図２（ａ）は実施の形態１におけるコンデンサ取付保持具の構成を示す平面図である。図２（ｂ）は実施の形態１におけるコンデンサ取付保持具の構成を示す側面図である。図２（ｃ）は実施の形態１におけるコンデンサ取付保持具の構成を示す正面図である。図３は実施の形態１におけるコンデンサ取付保持具の保持部片の構成を示す断面図である。
【０００９】
図１において、コンデンサ取付体１１に取り付けられるコンデンサ取付保持具１２によりコンデンサ１３が保持され、コンデンサ１３には接続用導体１４が設けられている。コンデンサ取付保持具１２は皿ねじ１５によりコンデンサ取付体１１に固定されている。また、コンデンサ１３の接続用導体１４は、端子固定ねじ１６によってコンデンサ１３の端子に固定されている。
そして、コンデンサ取付保持具１２の底部１２ａには皿ねじ１５を貫挿してコンデンサ固定用保持具１２をコンデンサ取付体１１に取り付けるための固定用皿ねじ穴２１ａが設けられるほか、固定用取付穴２２ａ，２３ａを有する取付部２２，２３が設けられ、皿ねじ１５によりコンデンサ取付体１１に取り付けるのが不都合な場合には、取付部２２，２３によってコンデンサ取付保持具１２がコンデンサ取付体１１に取り付けられる。
【００１０】
コンデンサ取付保持具１２は樹脂材料で構成され、円板状の底部１２ａを有するとともに、保持部片２４，２５を底部１２ａとともに一体に形成している。保持部片２４，２５はそれぞれ３個づつ複数個設けられ、円板状の底部１２ａから図１における図示上方に植設される。
それぞれ複数個設けられた保持部片２４，２５はコンデンサ１３を保持するための部品保持空間を囲んで環状に配設されている。保持部片２４，２５の自由端には部品保持空間に対向してコンデンサ１３を保持部片２４，２５の弾性で保持するための突部２４ａ，２５ａがそれぞれ設けられている。
保持部片２４と保持部片２５とは、図１における図示状態において、高さが異なり、保持部片２４の突部２４ａと保持部片２５の突部２５ａとは、コンデンサ固定用保持具１２の底部１２ａからの距離が異なっており、異なる位置に配設されている。
コンデンサ１３を保持するための部品保持空間を囲んで環状に配設されている保持部片２４と保持部片２５とは、互いに交互に配置されており、保持部片２４と保持部片２４の間には保持部片２５が配置され、保持部片２５と保持部片２５の間には保持部片２４が配置されるようになっている。
【００１１】
次に、取付動作について説明する。樹脂製のコンデンサ取付保持具１２をコンデンサ取付体１１に皿ねじ１５によって固定する。
そして、コンデンサ１３をコンデンサ取付保持具１２に差し込む。このとき図２に示すコンデンサ保持部片２４，２５を図３に示すような形状にして、保持部片２４，２５の自由端に設けた突部２４ａ，２５ｂの内面で形成される内径がコンデンサ１３の径よりもやや小さめになるように配置しておくことで、コンデンサ１３はコンデンサ取付保持具１２に挿入された後、突部２４ａ，２５ｂに接触し保持部片２４，２５が変形した際の弾性力によって保持される。
３個の保持部片２４にそれぞれ設けられた突部２４ａは、コンデンサ１３の外周面を３点支持の形で保持部片２４の弾性力により安定して保持し、また、３個の保持部片２５にそれぞれ設けられた突部２５ａは、保持部片２４の突部２４ａと異なる外周面位置において、コンデンサ１３の外周面を３点支持の形で保持部片２５の弾性力により安定して保持する。
この後、接続用導体１４を端子固定ねじ１６にて固定する。このとき、例えばコンデンサ１３の高さのばらつき等により端子の高さ位置と接続導体１４の高さ位置が完全に一致していなかった場合、端子固定ねじ１６を締め付けることでコンデンサ１３は取付具１２の内側底面を形成する底部１２ａから浮上がった状態で保持される。
【００１２】
この発明による実施の形態１では、樹脂などの弾性を持った素材でできたコンデンサ取付保持具１２で、コンデンサ取付体１１に固定するための穴２１ａ，２２ａ，２３ａを底面および外周部分に設け、さらに、固定しようとするコンデンサ１３の径よりもやや小さい寸法で保持部片２４，２５の突部２４ａ，２５ｂを設け、この保持部片２４，２５の弾性力によりコンデンサ１３を保持し、固定のための余分なねじの締付けを不要とした電気部品用固定具が提案されている。
【００１３】
また、この発明による実施の形態１では、前記コンデンサ取付保持具１２の周囲に設けた保持部片２４，２５は２種類の高さの突部２４ａ，２５ｂがあり、コンデンサ１３に取付ける（貫通させる）際に軽い力での取付を可能とし、また、２段の高さで保持するため、より安定した固定を実現した電気部品用固定具が提案されている。
【００１４】
この実施の形態１では、コンデンサ取付保持具１２の保持部片２４，２５の弾性力によりコンデンサ１３を保持するようにしているため、保持具１２を固定するねじの締め付けと、端子部のねじの締め付けのみで固定が完了し、より少ない工数での取付が可能である。
また、保持部片２４，２５を高さ違いで２種類設けることによりコンデンサ１３をコンデンサ取付保持具１２に挿入する際に必要となる力が約半分で済むことに加え、保持される時には高さ違い分の幅の帯で保持しているのと同等の効果があるため、より安定した固定が可能である。
【００１５】
この発明による実施の形態１によれば、コンデンサ取付体１１等の所定個所に取り付けられるコンデンサ取付保持具１２からなる固定具本体、前記コンデンサ取付保持具１２からなる固定具本体に設けられ前記コンデンサ取付保持具１２からなる固定具本体を所定個所に取り付ける取付穴２１ａを設けた底部１２ａまたは固定用取付穴２２ａ，２３ａを設けた突起からなる取付部２２，２３、前記コンデンサ取付保持具１２からなる固定具本体に植設されコンデンサ１３等の電気部品を取り付ける電気部品取付空間を囲んで環状に配設される樹脂材料等の弾性部材からなるそれぞれ３個づつ設けられる複数個の保持部片２４，２５を備え、前記複数個の保持部片２４，２５の自由端に保持部片２４，２５の弾性により電気部品を保持し電気部品を前記コンデンサ取付保持具１２からなる固定具本体を介して所定個所に取り付けるための突部２４ａ，２５ａをそれぞれ設けたので、取付時の工数を削減し、かつ、コンデンサ等の電気部品の取付密度の向上を実現できるコンデンサ等の電気部品固定用保持具を提供することができる。
【００１６】
また、この発明による実施の形態１によれば、前項の構成において、それぞれ３個づつ設けられた前記複数個の保持部片２４，２５における３個設けられた保持部片２４の突部２４ａの前記コンデンサ取付保持具１２からなる固定具本体の底部１２ａに対する位置と他の３個設けられた保持部片２５の突部２５ｂの前記コンデンサ取付保持具１２からなる固定具本体の底部１２ａに対する位置とを互いに異ならせるようにしたので、取付時の工数を削減し、かつ、コンデンサの取付密度の向上を実現できるとともに、より安定した固定を容易に行えるコンデンサ等の電気部品固定用保持具を提供することができる。
【００１７】
実施の形態２．
この発明による実施の形態２を図４および図５について説明する。図４は実施の形態１におけるコンデンサ取付保持具（中間保持用）の外形構成を示す三面図である。図４（ａ）は実施の形態２におけるコンデンサ取付保持具（中間保持用）の構成を示す平面図である。図４（ｂ）は実施の形態２におけるコンデンサ取付保持具（中間保持用）の構成を示す側面図である。図４（ｃ）は実施の形態１におけるコンデンサ取付保持具（中間保持用）の構成を示す正面図である。図５は実施の形態２におけるコンデンサの固定状態を示す側面図である。
この実施の形態２において、ここで説明する特有の構成以外の構成については、先に説明した実施の形態１における構成と同一の構成内容を具備し、同様の効果を奏するものである。図中、同一符号は同一または相当部分を示す。
【００１８】
上記実施の形態１では、コンデンサ１３をその底面にて保持する場合について述べたが、図５に示すように実施の形態１におけるコンデンサ取付保持具１２を変形してコンデンサ取付保持具１２の底部１２ａを削り底面に貫通穴１７ｂを設けて環状底部１７ａとしたコンデンサ取付保持具１７を使用することで、背の高いコンデンサ１３を固定する際等に中間位置での保持を可能とする。
【００１９】
底面にコンデンサ１３を貫挿する貫通穴１７ｂを設けたコンデンサ取付保持具１７には、実施の形態１と同様に、保持部片２４，２５が一体に形成され、保持部片２４，２５に設けられた突部２４ａ，２５ａによって、コンデンサ１３の外周部が保持される。
コンデンサ取付保持具１７自体は、取付部２２，２３の固定用取付穴２２ａ，２３ａに嵌合する保持具固定用ねじ１８によってコンデンサ取付体１１に取り付けられる。
【００２０】
この発明による実施の形態２では、前記コンデンサ固定具１７において、底面にコンデンサ１３の径より若干大きい貫通穴１７ｂをあけることにより、背の高いコンデンサ１３を固定し、保持する際に任意の位置で保持することを可能とした電気部品用固定具が提案されている。
【００２１】
また、この発明による実施の形態２では、前記コンデンサ固定具１７の周囲に設けた保持部片２４，２５は２種類の高さがあり、コンデンサ１３に取付ける（貫通させる）際に軽い力での取付を可能とし、また、２段の高さで保持するため、より安定した固定を実現した電気部品用固定具が提案されている。。
【００２２】
この実施の形態２においても、実施の形態１と同様に、保持具１７の固定のための締め付けと端子部の締め付けのみで固定が完了し、より少ない工数での取付が可能であるとともに、任意の高さ位置で保持できることから、取り付け体の高さ位置を細かく設計する必要がない。
【００２３】
この発明による実施の形態２によれば、実施の形態１における構成において、前記コンデンサ取付保持具１７からなる固定具本体の底部１７ａにおける底面にコンデンサ取付保持具１７からなる固定具本体を貫通してコンデンサ１３等の電気部品の一部を突出させるための穴部１７ｂを設けたので、取付時の工数を削減し、かつ、コンデンサ等の電気部品の取付密度の向上を実現できるとともに、コンデンサ等の電気部品の形状に対応して適切に取り付けることができるコンデンサ等の電気部品固定用保持具を提供することができる。
【００２４】
また、この発明による実施の形態２によれば、前項の構成において、それぞれ３個づつ設けられた前記複数個の保持部片２４，２５における３個設けられた保持部片２４の突部２４ａの前記コンデンサ取付保持具１７からなる固定具本体の環状底部１７ａに対する位置と他の３個設けられた保持部片２５の突部２５ｂの前記コンデンサ取付保持具１７からなる固定具本体の環状底部１７ａに対する位置とを互いに異ならせるようにしたので、取付時の工数を削減し、かつ、コンデンサの取付密度の向上を実現できるとともに、より安定した固定を容易に行えるコンデンサ等の電気部品固定用保持具を提供することができる。
【００２５】
実施の形態３．
この発明による実施の形態３を図６について説明する。図６は実施の形態３におけるコンデンサの固定状態を示す側面図である。
この実施の形態３において、ここで説明する特有の構成以外の構成については、先に説明した実施の形態１における構成と同一の構成内容を具備し、同様の効果を奏するものである。図中、同一符号は同一または相当部分を示す。
【００２６】
上記実施の形態２では、コンデンサ取付体１１に保持具固定用ねじ１８が貫通するような形で固定していたが、用途によっては貫通させたくない場合もあり、このような場合には図６に示すように、例えば、めねじスタッド１９をコンデンサ取付体１１に固定しておき、これにコンデンサ取付保持具１２に設けられた取付部２２，２３の段違い固定用取付穴２２ａ，２３ａを貫挿する保持具固定用ねじ１８で固定することにより取付けることが可能であり、用途に応じた柔軟な取付を可能とする。
【００２７】
この発明による実施の形態３では、前記コンデンサ固定具において、周囲に設けた段違いの固定用突起からなる取付部２２，２３により、用途に応じて柔軟な取付を可能とした電気部品用固定具が提案されている。
【００２８】
この発明による実施の形態３によれば、実施の形態１または実施の形態２における構成において、前記コンデンサ取付用保持具１２からなる固定具本体をコンデンサ取付体１１等の所定個所に取り付ける取付部２２，２３を前記コンデンサ取付保持具１２からなる固定具本体の周面に一体として設けられ固定用取付穴２２ａ，２３ａが設けられた段違いの固定用突起としたので、取付時の工数を削減し、かつ、コンデンサ等の電気部品の取付密度の向上を実現できるとともに、用途に応じた柔軟な取付態様を実現できるコンデンサ等の電気部品固定用保持具を提供することができる。
【図面の簡単な説明】
【００２９】
【図１】この発明による実施の形態１におけるコンデンサの固定状態を示す側面図である。
【図２】この発明による実施の形態１におけるコンデンサ取付保持具の外形構成を示す三面図である。
【図３】この発明による実施の形態１におけるコンデンサ取付保持具の突起部分の構成を示す断面図である。
【図４】この発明による実施の形態１におけるコンデンサ取付保持具（中間保持用）の外形構成を示す三面図である。
【図５】この発明の実施の形態２におけるコンデンサの固定状態を示す側面図である。
【図６】この発明の実施の形態３におけるコンデンサの固定状態を示す側面図である。
【符号の説明】
【００３０】
１１  コンデンサ取付体、１２  コンデンサ取付保持具、１３  コンデンサ、１４  接続用導体、１５  保持具固定用皿ねじ、１６  端子固定ねじ、１７  中間取付用コンデンサ取付保持具、１８  保持具固定用ねじ、１９  めねじスタッド、２２，２３  取付部、２２ａ  取付面内固定用取付穴、２３ａ  取付体利用固定用取付穴、２４  保持部片（大）、２５  保持部片（小）。
【図１】
2006173417.tif 000003
【図２】
2006173417.tif 000004
【図３】
2006173417.tif 000005
【図４】
2006173417.tif 000006
【図５】
2006173417.tif 000007
【図６】
2006173417.tif 000008